(57)【要約】【課題】ガンマ線遮蔽体で検出器を覆うことなく、自然界に存在するガンマ線や散乱線によるバックグランド計数を大幅に減少させ、放射性セシウムからのガンマ線を計数して、放射性セシウムの濃度測定精度を向上し得る装置及び方法を提供する。【解決手段】本発明の方法は、放射性セシウムを含む検体をｎ台（ｎは３以上）のガンマ線検出器で囲み、検体から同時に放出される２種類のエネルギーのガンマ線を、ｎＣ２セットの内のいずれかの一対のガンマ線検出器の間で同時計数を行い、同時計数された計数を加算して前記検体からのガンマ線を計数する。本発明の装置は、放射性セシウムを含む検体を囲むように配置されたｎ台（ｎは３以上）のガンマ線検出器と、検体から同時に放出される２種類のエネルギーのガンマ線を、それぞれのガンマ線検出器の間で同時計数を行うｎＣ２台の同時計数回路と、同時計数回路により同時収集された計数を加算する加算回路を備える。【選択図】図３
2014032163.tif 000002
【特許請求の範囲】
【請求項１】
放射性セシウムを含む検体をｎ台（ｎは３以上）のガンマ線検出器で囲み、
前記検体から同時に放出される２種類のエネルギーのガンマ線を、ｎＣ２セットの内のいずれかの一対のガンマ線検出器の間で同時計数を行い、
同時計数された計数を加算して前記検体からのガンマ線を計数することを特徴とする放射線検出方法。
【請求項２】
上記の２種類のエネルギーのガンマ線は、略６０５ｋｅＶのガンマ線と略７９６ｋｅＶのガンマ線であることを特徴とする請求項１に記載の放射線検出方法。
【請求項３】
同時計数を行う前の計数値と同時計数を行った計数値を共に計数することを特徴とする請求項１又は２に記載の放射線検出方法。
【請求項４】
前記ガンマ線検出器は４台であり、前記検体の前後左右、左右上下、或いは、上下前後に配置されることを特徴とする請求項１〜３のいずれかに記載の放射線検出方法。
【請求項５】
前記ガンマ線検出器は６台であり、前記検体の前後左右上下に配置されることを特徴とする請求項１〜３のいずれかに記載の放射線検出方法。
【請求項６】
前記ガンマ線検出器はｎ×ｍ台（ｎは３以上，ｍは２以上）であり、
ｎ台のガンマ線検出器は前記検体の周囲にリング状に配置され、
ｎ台のガンマ線検出器が１セットとなり、ｍ列に隣接して多層のリング状に配置されることを特徴とする請求項１〜３のいずれかに記載の放射線検出方法。
【請求項７】
放射性セシウムを含む検体を囲むように配置されたｎ台（ｎは３以上）のガンマ線検出器と、
前記検体から同時に放出される２種類のエネルギーのガンマ線を、それぞれのガンマ線検出器の間で同時計数を行うｎＣ２台の同時計数回路と、
同時計数回路により同時に収集された計数を加算する加算回路と、
を少なくとも備えたことを特徴とする放射線検出装置。
【請求項８】
上記の２種類のエネルギーのガンマ線は、略６０５ｋｅＶのガンマ線と略７９６ｋｅＶのガンマ線であることを特徴とする請求項７に記載の放射線検出装置。
【請求項９】
同時計数を行う前の計数値と同時計数を行った計数値を共に計数することを特徴とする請求項７又は８に記載の放射線検出装置。
【請求項１０】
前記ガンマ線検出器は４台であり、前記検体の前後左右、左右上下、或いは、上下前後に配置されることを特徴とする請求項７〜９のいずれかに記載の放射線検出装置。
【請求項１１】
前記ガンマ線検出器は６台であり、前記検体の前後左右上下に配置されることを特徴とする請求項７〜９のいずれかに記載の放射線検出装置。
【請求項１２】
前記ガンマ線検出器はｎ×ｍ台（ｎは３以上，ｍは２以上）であり、
ｎ台のガンマ線検出器は前記検体の周囲にリング状に配置され、
ｎ台のガンマ線検出器が１セットとなり、ｍ列に隣接して多層のリング状に配置される  ことを特徴とする請求項７〜９のいずれかに記載の放射線検出装置。
【請求項１３】
放射性セシウムを含む検体をｎ台（ｎは３以上）のガンマ線検出器で囲み、
ガンマ線検出器の出力信号を加算し、
２種類のエネルギーのガンマ線のエネルギー合計値にエネルギーウィンドウを設定して波高弁別し、エネルギーウィンドウ内の信号だけを計数し、
計数を加算して前記検体からのガンマ線を計数することを特徴とする放射線検出方法。
【請求項１４】
放射性セシウムを含む検体を囲むように配置されたｎ台（ｎは３以上）のガンマ線検出器と、
ガンマ線検出器の出力信号を加算する信号加算回路と、
２種類のエネルギーのガンマ線のエネルギー合計値にエネルギーウィンドウを設定して波高弁別し、加算回路の出力信号の内、エネルギーウィンドウ内の信号だけを計数する波高弁別回路と、
波高弁別回路の出力計数を加算する加算回路と、
を少なくとも備えたことを特徴とする放射線検出装置。
【発明の詳細な説明】
【技術分野】
【０００１】
本発明は、放射線検出装置および放射線検出方法に関し、特に放射性セシウムを含む農作物，魚等の食品等に含まれる放射性セシウムの量を正確に計測する技術に関する。
【背景技術】
【０００２】
東京電力福島第一原子力発電所事故により環境中に放出された放射性物質による環境汚染が大きな問題となっている。特に長半減期である放射性セシウム（Ｃｓ−１３７，Ｃｓ−１３４）の自然生態系への取り込みは極めて深刻であり、高感度、低バックグランドで計測する手法が切望されている。従来の計測方法は、放射性セシウムであるＣｓ−１３７からの６６２ｋｅＶガンマ線，Ｃｓ−１３４からの６０５ｋｅＶガンマ線及び７９６ｋｅＶガンマ線を１本ずつ独立に計数し、その計数値から食品等に含まれる放射性セシウムの量を測定する方法が用いられていた。
【０００３】
このような従来方法では，自然界に存在するＫ−４０等からのガンマ線やその散乱線がバックグランドとなり、検出下限を引き下げることが困難であるといった問題がある。自然界に存在するＫ−４０等からのガンマ線を減少させるための方法としては、厚いガンマ線遮蔽体で検出器を覆うことが考えられるが、検出装置の重量が重くなりコストも高くなるという問題がある。さらに、厚いガンマ線遮蔽体で検出器を覆う対処法では、ガンマ線入射部には施すことができず、効果も限定的である。
【０００４】
一方、検出感度を上げる目的で、検出器を検体の周囲に並べる計測装置や計測方法が知られている（例えば、特許文献１、特許文献２を参照。）。
【先行技術文献】
【特許文献】
【０００５】
【特許文献１】特開２００６−２８４４７２号公報
【特許文献２】特開２０１０−１９７１４０号公報
【発明の概要】
【発明が解決しようとする課題】
【０００６】
上記状況に鑑みて、本発明は、ガンマ線遮蔽体で検出器を覆うことなく、自然界に存在するガンマ線や散乱線によるバックグランド計数を大幅に減少させ、放射性セシウム（Ｃｓ−１３４）からのガンマ線を計数して、放射性セシウムの濃度測定精度を向上し得る放射線検出装置および放射線検出方法を提供することを目的とする。
【課題を解決するための手段】
【０００７】
本発明者は、自然界に存在する放射性物質から放出されたガンマ線の本数と、測定装置内にある放射性セシウムを含む検体から放出されたガンマ線の本数とに違いがあることに着目し、ガンマ線の本数の違いを利用して、自然界に存在する放射性物質のガンマ線は計数しないで検体のガンマ線だけを計数できるという知見を得て、本発明を完成した。
【０００８】
すなわち、上記目的を達成すべく、本発明の放射線検出方法は、放射性セシウムを含む検体をｎ台（ｎは３以上）のガンマ線検出器で囲み、検体から同時に放出される２種類のエネルギーのガンマ線を、ｎＣ２セットの内のいずれかの一対のガンマ線検出器の間で同時計数を行い、同時計数された計数を加算して前記検体からのガンマ線を計数する。
ここで、ガンマ線検出器は、平板のゲルマニウム酸ビスマス（ＢＧＯ）をガンマ線のシンチレータとして用いる。ゲルマニウム酸ビスマス（ＢＧＯ）は、高エネルギーガンマ線に対する吸収係数が大きい。
【０００９】
放射性セシウムを含む検体をｎ台（ｎは３以上）のガンマ線検出器で囲むとは、３枚以上の平板のゲルマニウム酸ビスマス（ＢＧＯ）等のシンチレータ―で検体を包囲することである。ｎ台のガンマ線検出器の任意の２台の組合せはｎＣ２セットであるので、検体の周囲を囲むｎＣ２セットの内のいずれかの一対のガンマ線検出器の間で同時計数を行って、検体からは任意の方向に放出される２種類のエネルギーのガンマ線の計数を測定する。
【００１０】
環境中に存在する放射性核種からは、１度に１種類のエネルギーのガンマ線が放出される。これに対して、放射性セシウムを含む検体からは、２種類のエネルギーのガンマ線、具体的には、略６０５ｋｅＶのガンマ線と略７９６ｋｅＶのガンマ線が約５ピコ秒の間に放出される。放射性セシウムを含む検体からは任意の方向にガンマ線が放出されるため、検体の周囲を検出器で囲む。そして、それぞれの検出器の間で同時計数を行うことにより、ガンマ線が同時計数されない環境中のガンマ線に起因するバックグランド計数を大幅に減少させて、環境中に存在する放射性核種の影響を著しく低減する。
【００１１】
すなわち、放射性セシウムを含む検体の周囲を囲むように検出器を配置し、任意の方向に放出される２種類のガンマ線に対して、検出器間で同時計数を行うことにより、自然放射線からのバックグランド計数を検出する割合を著しく少なくした状態で、放射性セシウムからのガンマ線のみを計数することが可能となり、放射性セシウムの濃度測定の精度を大幅に向上する。
【００１２】
上記の２種類のエネルギーのガンマ線は、略６０５ｋｅＶのガンマ線と略７９６ｋｅＶのガンマ線である。２本のガンマ線は任意の方向に放出されるが、検出器が検体を囲むように配置されているので、複数配置した内の２つの検出器で同時計数することができる。
【００１３】
また、本発明の放射線検出方法において、同時計数を行う前の計数値と同時計数を行った計数値を共に計数することが好ましい。同時計数を行う前の信号はセシウム１３７の６６２ｋｅＶのガンマ線も計測することも可能である。
同時計数を行う前の計数値と同時計数を行った計数値を共に計数することにより、バックグランド計数は多いが計数値が高い情報と、バックグランド計数の少ない同時計数を行った情報の両方を汚染の有無の判定に用いることが可能となる。
【００１４】
本発明の放射線検出方法において、ガンマ線検出器は４台であり、前記検体の前後左右、左右上下、或いは、上下前後に配置されることが好ましい。ガンマ線検出器４台で検体の周囲を囲い込むことにより、任意の方向に放出される２種類のエネルギーのガンマ線の計数を測定する。ガンマ線検出器４台の場合、６（＝４Ｃ２）台の同時計数回路が必要であり、検体の周囲を囲む６（＝４Ｃ２）セットの内のいずれかの一対のガンマ線検出器の間で同時計数を行い、検体からは任意の方向に放出される２種類のエネルギーのガンマ線の計数を測定する。
【００１５】
本発明の放射線検出方法において、ガンマ線検出器は６台であり、前記検体の前後左右上下に配置されることが好ましい。
これにより、検体の周囲に開口部を無くすことができ、任意の方向に放出される２種類のエネルギーのガンマ線の計数を漏れなく測定することができる。ガンマ線検出器６台の場合、１５（＝６Ｃ２）台の同時計数回路が必要であり、検体の周囲を囲む１５（＝６Ｃ２）セットの内のいずれかの一対のガンマ線検出器の間で同時計数を行い、検体からは任意の方向に放出される２種類のエネルギーのガンマ線の計数を測定する。
【００１６】
本発明の放射線検出方法において、ガンマ線検出器はｎ×ｍ台（ｎは３以上，ｍは２以上）であり、ｎ台のガンマ線検出器は前記検体の周囲にリング状に配置され、ｎ台のガンマ線検出器が１セットとなり、ｍ列に隣接して多層のリング状に配置されることが好ましい。検体の周囲のガンマ線検出器を増やすことで、感度を向上させることができる。例えば、検体の周囲に４台のガンマ線検出器がリング状に配置され、それらが２列に隣接して２層のリング状に配置される場合、２８（＝８Ｃ２）台の同時計数回路が必要であり、検体の周囲を囲む２８（＝８Ｃ２）セットの内のいずれかの一対のガンマ線検出器の間で同時計数を行い、検体からは任意の方向に放出される２種類のエネルギーのガンマ線の計数を測定する。これにより、２個の検出器を用いる場合に比して２８倍に感度を増加することが可能となる。
【００１７】
次に、本発明の放射線検出装置について説明する。
本発明の放射線検出装置は、上記目的を達成すべく、放射性セシウムを含む検体を囲むように配置されたｎ台（ｎは３以上）のガンマ線検出器と、検体から同時に放出される２種類のエネルギーのガンマ線を、それぞれのガンマ線検出器の間で同時計数を行うｎＣ２台の同時計数回路と、同時計数回路により同時に収集された計数を加算する加算回路と、を少なくとも備える。
【００１８】
同時計数回路の前段には、通常、同時計数のためのタイミング信号を切りだす回路と、エネルギーウィンドウを設定する回路が含まれる。ガンマ線検出器の間で同時計数された計数は、加算回路に導かれ加算される。そして、コンピュータで計数データから算出した放射線濃度が基準以下か否かの判定を行った上で結果をディスプレイ等に表示する。
【００１９】
ここで、上記の２種類のエネルギーのガンマ線は、略６０５ｋｅＶのガンマ線と略７９６ｋｅＶのガンマ線である。
上述の如く、検体から放出される２本のガンマ線は任意の方向に放出されるので、検出器が検体を囲むように配置させて、複数配置した内の２つの検出器で同時計数する。
【００２０】
本発明の放射線検出装置において、同時計数を行う前の計数値と同時計数を行った計数値を共に計数することも可能である。
上述の如く、同時計数を行う前の計数値と同時計数を行った計数値を共に計数することによりバックグランド計数は多いが計数値が高い情報と，バックグランド計数の少ない同時計数を行った情報の両方を汚染の有無の判定に用いることが可能となる。
【００２１】
本発明の放射線検出装置において、ガンマ線検出器は４台であり、前記検体の前後左右、左右上下、或いは、上下前後に配置されることが好ましい。ガンマ線検出器４台の場合、６（＝４Ｃ２）台の同時計数回路が必要である。
【００２２】
また、本発明の放射線検出装置において、ガンマ線検出器は６台であり、前記検体の前後左右上下に配置されることが好ましい。ガンマ線検出器６台の場合、１５（＝６Ｃ２）台の同時計数回路が必要である。
【００２３】
本発明の放射線検出装置において、ガンマ線検出器はｎ×ｍ台（ｎは３以上，ｍは２以上）であり、ｎ台のガンマ線検出器は前記検体の周囲にリング状に配置され、ｎ台のガンマ線検出器が１セットとなり、ｍ列に隣接して多層のリング状に配置されることが好ましい。
検体の周囲のガンマ線検出器を増やすことで、感度を向上させることができる。
【００２４】
本発明の他の観点の放射線検出方法は、放射性セシウムを含む検体をｎ台（ｎは３以上）のガンマ線検出器で囲み、ガンマ線検出器の出力信号を加算し、２種類のエネルギーのガンマ線のエネルギー合計値にエネルギーウィンドウを設定して波高弁別し、エネルギーウィンドウ内の信号だけを計数し、計数を加算して前記検体からのガンマ線を計数する。
上記の２種類のエネルギーのガンマ線は、略６０５ｋｅＶのガンマ線と略７９６ｋｅＶのガンマ線である。２本のガンマ線は任意の方向に放出されるが、検出器が検体を囲むように配置されているので、複数配置した内の２つの検出器で捉え、サムピークにエネルギーウィンドウを設定して計数する。
上述した本発明の放射線検出方法の同時計数に比べて精度は劣るが、複数のガンマ線検出器からの信号を加算し、略６０５ｋｅＶのガンマ線と略７９６ｋｅＶのガンマ線の２種類のエネルギーのガンマ線のサムピーク（略１４０１ｋｅＶ）にエネルギーウィンドウを設定し、同時計数することなくウィンドウ内の信号を計数することにより、略６０５ｋｅＶのガンマ線と略７９６ｋｅＶのガンマ線の同時計測と類似の効果のある計測ができる。
【００２５】
また、本発明の他の観点の放射線検出装置は、放射性セシウムを含む検体を囲むように配置されたｎ台（ｎは３以上）のガンマ線検出器と、ガンマ線検出器の出力信号を加算する信号加算回路と、２種類のエネルギーのガンマ線のエネルギー合計値にエネルギーウィンドウを設定して波高弁別し、加算回路の出力信号の内、エネルギーウィンドウ内の信号だけを計数する波高弁別回路と、波高弁別回路の出力計数を加算する加算回路を備える。
上述した本発明の放射線検出装置の同時計数に比べて精度は劣るが、複数のガンマ線検出器からの信号を加算し、略６０５ｋｅＶのガンマ線と略７９６ｋｅＶのガンマ線の２種類のエネルギーのガンマ線のサムピーク（略１４０１ｋｅＶ）にエネルギーウィンドウを設定し、同時計数することなくウィンドウ内の信号を計数することにより、略６０５ｋｅＶのガンマ線と略７９６ｋｅＶのガンマ線の同時計測と類似の効果のある計測ができる。
【発明の効果】
【００２６】
本発明によれば、同時計数を行うことにより、自然放射線を検出する割合を著しく少なくして、放射性セシウム（Ｃｓ−１３４）からのガンマ線を計数することができ、放射性セシウムの濃度測定の精度を大幅に向上できるといった効果を有する。
【図面の簡単な説明】
【００２７】
【図１】放射性セシウム（Ｃｓ−１３４）の崩壊図
【図２】実施例１の放射線検出装置の概念図
【図３】実施例１の放射線検出装置の機能ブロック図
【図４】実施例２の放射線検出装置の構成図（正面図と側面図）
【図５】実施例３の放射線検出装置の構成図（側面図）
【図６】その他の実施例の構成図（正面図）
【図７】実施例４の放射線検出装置の機能ブロック図
【発明を実施するための最良の形態】
【００２８】
以下、本発明の実施形態について、図面を参照しながら詳細に説明していく。なお、本発明の範囲は、以下の実施例や図示例に限定されるものではなく、幾多の変更及び変形が可能である。
【実施例１】
【００２９】
図１に放射性セシウム（Ｃｓ−１３４）の崩壊図を示す。図１では、放射性セシウム（Ｃｓ−１３４）からは、９７．５６％で６０４．７ｋｅＶガンマ線と、８５．４４％で７９５．９ｋｅＶガンマ線が約５ピコ秒（５．１＋０．８２＝５．９２（ｐｓ））の間に放出されることが示されている。
これらの２種類のエネルギーのガンマ線は、放射性セシウム（Ｃｓ−１３４）を含む検体から略同時に任意の方向に放出される。
そこで、本発明では、放射性セシウムを含む検体の周囲にガンマ線検出器を配置し、それぞれのガンマ線検出器の間で、Ｃｓ−１３４から同時に放出される６０４．７ｋｅＶガンマ線と７９５．９ｋｅＶガンマ線を同時計数する。２種類のエネルギーの２本のガンマ線は任意の方向に放出されるが、ガンマ線検出器が検体を囲むように配置されているので、複数配置した内の２つの検出器で同時計数することができる。
なお、他のバックグランドとなる放射線は一度に１本しかガンマ線を出さないので、バックグランドとなる放射線は計数されない。従って、バックグランド計数を飛躍的に下げることが可能になる。
【００３０】
図２に実施例１の放射線検出装置の概念図を示す。実施例１の放射線検出装置では、放射性セシウムを含む検体１（例えば、食品）を囲むように４台のガンマ線検出器（２ａ〜２ｄ）を配置している。放射性セシウムを含む検体１から同時に放出される２本のガンマ線（８，９）は任意の方向に放出されるが、４台のガンマ線検出器（２ａ〜２ｄ）の内の２つのガンマ線検出器（２ａと２ｄ）で検出される。検体から放出された２本のガンマ線は、ガンマ線検出器２ａとガンマ線検出器２ｄの間の同時計数回路で同時計数される。
【００３１】
ガンマ線検出器には、高エネルギーのガンマ線に対して検出効率の大きいシンチレータを光電子増倍管に光学結合したものを用いることができる。また、シンチレータとしては高エネルギーガンマ線に対する吸収係数の大きいゲルマニウム酸ビスマス（ＢＧＯ）を用いることができる。シンチレータとして用いるゲルマニウム酸ビスマス（ＢＧＯ）の大きさは、５０ｍｍ×５０ｍｍ×３０ｍｍとした。３０ｍｍの厚みのＢＧＯを用いることにより、入射するガンマ線の９５％程度が検出可能となる。また、光電子増倍管は５４ｍｍ矩形のもの（浜松ホトニクス社製、型番：Ｒ６２３６−ＨＡ)を用い、ＢＧＯを光学結合した。ＢＧＯの反射材には高反射膜（３Ｍ社製ＥＳＲ)を用いた。
シンチレータとしては、ＢＧＯの他に、Ｇｄ２ＳｉＯ５単結晶（ＧＳＯ）やガドリニウムアルミニウムガリウムガーネット（ＧＡＧＧ）などが好適に用いることができる。
【００３２】
図３に実施例１の放射線検出装置の機能ブロック図を示す。検体１の周囲に配置された４台のガンマ線検出器（２ａ〜２ｄ）からの出力信号は、６台の同時計数回路（１１〜１６）に導かれ、ガンマ線検出器間の同時計数を行う。同時計数回路（１１〜１６）の前には、同時計数のためのタイミング信号を切りだす回路とエネルギーウィンドウを設定する回路が含まれるが、図示せず、省略している。ガンマ線検出器間で同時計数された計数は、後段の加算回路３０に導かれ加算され、加算された計数データがコンピュータ（ＣＰＵ）３５に導かれ、放射線濃度が基準以下か否かの判定を行った上で結果を表示器（図示せず）に表示する。
【実施例２】
【００３３】
図４に実施例２の放射線検出装置の構成図を示す。図４（１）が正面図を示し、図４（２）が側面図を示している。実施例２の放射線検出装置は、４台のガンマ線検出器を検体１の周囲を取り囲むように配置するのは実施例１と同じであるが、検体１の周りを取り囲む４台のガンマ線検出器（２ａ〜２ｄ）と同様な配置のガンマ線検出器（３ａ〜３ｄ）とガンマ線検出器（４ａ〜４ｄ）をそれぞれ隣接して複数配置して、ガンマ線検出器間で同時計数を行う。その場合、ガンマ線検出器の数は総計４×３＝１２台となり、同時計数回路の数は１２Ｃ２＝６６台と増えるが、感度を大幅に向上させることが可能となる。
【００３４】
図４では、放射性セシウムを含む検体１から同時に放出される２本のガンマ線（８，９）は、１２台のガンマ線検出器の内の２台のガンマ線検出器（３ａと２ｂ）で検出されている様子を示している。検体１から放出された２本のガンマ線は、ガンマ線検出器３ａとガンマ線検出器２ｂの間の同時計数回路で同時計数される。
【実施例３】
【００３５】
図５に実施例３の放射線検出装置の構成図（側面図）を示す。実施例３の放射線検出装置は、実施例２と同様に１２台のガンマ線検出器（２ａ〜２ｄ，３ａ〜３ｄ，４ａ〜４ｄ）を検体１の周囲を取り囲むように配置し、さらに、その開口部である両側（図５の左右両側）にガンマ線検出器（５ａ，５ｂ）を配置して、検体１をすべての方向から囲む構成を成す。この場合、検出器を突き抜けるガンマ線以外は、ほぼすべてのガンマ線を逃さず計測できるようになる。
【実施例４】
【００３６】
実施例４では、複数のガンマ線検出器からの信号を加算し、略６０５ｋｅＶのガンマ線と略７９６ｋｅＶのガンマ線の２種類のエネルギーのガンマ線のサムピーク（略１４０１ｋｅＶ）にエネルギーウィンドウを設定し、同時計数することなくエネルギーウィンドウ内の信号を計数することにより、略６０５ｋｅＶのガンマ線と略７９６ｋｅＶのガンマ線の同時計測と類似の効果のある計測ができる装置について説明する。
図７に実施例４の放射線検出装置の機能ブロック図を示す。検体１の周囲に配置された４台のガンマ線検出器（２ａ〜２ｄ）からの出力信号は、それぞれ２つの出力信号を加算する６台の信号加算回路（４１〜４６）に導かれる。信号加算回路（４１〜４６）からの出力信号は、それぞれ、略６０５ｋｅＶのガンマ線と略７９６ｋｅＶのガンマ線の２種類のエネルギーのガンマ線のサムピーク（略１４０１ｋｅＶ）にエネルギーウィンドウを設定された波高弁別回路（５１〜５６）に導かれる。そして、それぞれの波高弁別回路（５１〜５６）で２種類のエネルギーのガンマ線のサムピークの出力信号を計数し、後段の加算回路４０に導かれ加算され、加算された計数データがコンピュータ（ＣＰＵ）３５に導かれ、放射線濃度が基準以下か否かの判定を行った上で結果を表示器（図示せず）に表示する。
【００３７】
（その他の実施例）
（１）上記の実施例１〜３では、ガンマ線検出器の検体の周囲にリング状に配置する個数を４台であるが、リング状に配置する個数は、３台であっても、５台や６台、或いは、それ以上であっても同様な効果が得られる。
例えば、リング状に配置する個数が３台の場合を図６（１）に示す。また、リング状に配置する個数が５台の場合を図６（２）に示す。また、リング状に配置する個数が６台の場合を図６（３）に示す。
個数を増加させることによって、より感度を向上させることが可能になる。
【００３８】
（２）上記の実施例１〜３では、同時計数を行った計数値のみを用いて検体の放射線濃度を計測しているが、ガンマ線検出器で同時計数を行う前の計数値と同時計数を行った計数値を共に計数し、両方の計数値を用いて検体の放射能濃度を計測することも有効である。
【産業上の利用可能性】
【００３９】
本発明は、放射性セシウム（Ｃｓ−１３４）の濃度計測に有用である。
【符号の説明】
【００４０】
１  検体
２ａ〜２ｆ，３ａ〜３ｄ，４ａ〜４ｄ，５ａ，５ｂ  ガンマ線検出器
８〜１０  ガンマ線
１１〜１６  同時計数回路
３０，４０  加算回路
３５  コンピュータ
４１〜４６  信号加算回路
５１〜５６  波高弁別回路
【図１】
2014032163.tif 000003
【図２】
2014032163.tif 000004
【図３】
2014032163.tif 000005
【図４】
2014032163.tif 000006
【図５】
2014032163.tif 000007
【図６】
2014032163.tif 000008
【図７】
2014032163.tif 000009